(57)【要約】【課題】ジャケットのたて糸に濃い色の糸と薄い色の糸を用い、前記ジャケットの軸方向に縦縞模様を施すことにより、メーカーの識別ができるホースを提供することにある。【解決手段】よこ糸６とたて糸７とを織組した円筒状のジャケット２と、このジャケット２の内周面にライニングされたライニング層とからなるホースにおいて、前記たて糸７に濃い色の糸７ａと薄い色の糸７ｂを用い、前記濃い色のたて糸７ａによって前記ジャケット２の軸方向に縦縞模様を施したことを特徴とする。【選択図】図１
2005048926.tif 000002
【特許請求の範囲】
【請求項１】
よこ糸とたて糸とを織組した円筒状のジャケットと、このジャケットの内周面にライニングされたライニング層とからなるホースにおいて、
前記たて糸に濃い色の糸と薄い色の糸を用い、前記濃い色のたて糸によって前記ジャケットの軸方向に縦縞模様を施したことを特徴とするホース。
【請求項２】
前記濃い色のたて糸は、並行する複数本からなり、前記ジャケットの軸方向に延びる帯状の縦縞模様であることを特徴とする請求項１記載のホース。
【請求項３】
前記濃い色のたて糸は、黒色で、薄い色のたて糸は、白色または黄色であることを特徴とする請求項１記載のホース。
【請求項４】
よこ糸とたて糸とを織組した円筒状のジャケットと、このジャケットの内周面にライニングされたライニング層とからなるホース本体と、このホース本体の両端部に保護用のジャケット筒体を介して装着された接続金具とからなるホースにおいて、
前記ジャケット筒体を織組するたて糸に濃い色の糸と薄い色の糸を用い、前記濃い色のたて糸によって前記ジャケット筒体の軸方向に縦縞模様を施したことを特徴とするホース。
【請求項５】
よこ糸とたて糸とを織組した円筒状のジャケットと、このジャケットの内周面にライニングされたライニング層とからなるホースの製造方法において、
前記たて糸に濃い色の原着糸と白糸を用いて円筒状のジャケットを織組した後、前記白糸に薄い色の顔料を着色して前記ジャケットの軸方向に前記濃い色の原着糸からなる縦縞模様を施すことを特徴とするホースの製造方法。
【請求項６】
前記薄い色の顔料は、カラーウレタン樹脂であることを特徴とする請求項５記載のホースの製造方法。
【発明の詳細な説明】
【技術分野】
【０００１】
この発明は、例えば、消防車に搭載された送水ポンプに接続される消防用ホースや消火栓に接続される消防ホース、散水用ホース等のホース及びホースの製造方法に関する。
【背景技術】
【０００２】
例えば、消防用ホースは、たて糸とよこ糸を織組したジャケットと、このジャケットの内周面にライニングされたライニング層とからなるホース本体が構成されている。通常は、ホース本体の一端部に雌型の接続金具が装着され、他端部には雄型の接続金具が装着され、雌型と雄型の接続金具を接続することにより複数本の消防用ホースを延長できるようになっている。また、一端部に送水ノズルを有したホース本体においては、その他端部に雌型の接続金具が装着され、前記延長した消防用ホースの先端部に接続できるようになっている。
【０００３】
消防用ホースは、つづら状に折り畳んだ状態あるいは巻回された状態で消防車に搭載されており、火災時の消火活動の際には消防用ホースを消防車から降ろして引き延ばし、接続金具相互を接続して延長した後、送水ポンプから消防用ホースに送水することにより、消火活動を行なっている。
【発明の開示】
【発明が解決しようとする課題】
【０００４】
ところで、通常の消防用ホースは、ジャケットはポリエステル繊維、ナイロン繊維からなるたて糸とよこ糸を織組したものであり、ジャケットは白色が主体であり、赤色もしくは青色等の数本のたて糸をよこ糸に織組し、ジャケットの軸方向に１本もしくは２本のラインを設けてメーカーあるいは消防署ごとの識別ができるようにしたものもある。しかし、夜間等の視界が悪い状況下での消火活動の際には消防用ホースの視認性が悪いという問題がある。
【０００５】
そこで、ジャケット外面（外側）に反射テープを貼着し、夜間等の視界が悪い状況下での消火活動においても、消防用ホースの視認性を向上させたものも開発されている。しかし、消防用ホースは放水時に圧力によってホース自体が軸方向及び径方向に伸び、また捩れ、ゆがみが発生する。その伸び、捩れ、ゆがみに反射テープが追従しなければ反射テープが剥離するという問題が起こる。また、消防用ホースは、消火活動の際に路面や床面を引き摺るため、反射テープの接着力が弱いと簡単に剥離する可能性がある。
【０００６】
この発明は、前記事情に着目してなされたもので、その目的とするところは、夜間等の視界が悪い状況下においても、視認性が向上し、しかも安価なホース及びホースの製造方法を提供することにある。
【課題を解決するための手段】
【０００７】
この発明は、前記目的を達成するために、請求項１は、よこ糸とたて糸とを織組した円筒状のジャケットと、このジャケットの内周面にライニングされたライニング層とからなるホースにおいて、前記たて糸に濃い色の糸と薄い色の糸を用い、前記濃い色のたて糸によって前記ジャケットの軸方向に縦縞模様を施したことを特徴とする。
【０００８】
請求項２は、請求項１の前記濃い色のたて糸は、並行する複数本からなり、前記ジャケットの軸方向に延びる帯状の縦縞模様であることを特徴とする。
【０００９】
請求項３は、請求項１の前記濃い色のたて糸は、黒色で、薄い色のたて糸は、白色または黄色であることを特徴とする。
【００１０】
請求項４は、よこ糸とたて糸とを織組した円筒状のジャケットと、このジャケットの内周面にライニングされたライニング層とからなるホース本体と、このホース本体の両端部に保護用のジャケット筒体を介して装着された接続金具とからなるホースにおいて、前記ジャケット筒体を織組するたて糸に濃い色の糸と薄い色の糸を用い、前記濃い色のたて糸によって前記ジャケット筒体の軸方向に縦縞模様を施したことを特徴とする。
【００１１】
請求項５は、よこ糸とたて糸とを織組した円筒状のジャケットと、このジャケットの内周面にライニングされたライニング層とからなるホースの製造方法において、前記たて糸に濃い色の原着糸と白糸を用いて円筒状のジャケットを織組した後、前記白糸に薄い色の顔料を着色して前記ジャケットの軸方向に前記濃い色の原着糸からなる縦縞模様を施すことを特徴とする。
【００１２】
請求項６は、請求項５の前記薄い色の顔料は、カラーウレタン樹脂であることを特徴とする。
【００１３】
円筒状のジャケットは、よこ糸とたて糸によって織組され、たて糸は、ジャケットの円周方向に複数に分割され、その分割線におけるたて糸を他のたて糸と異なる濃い色、例えば黒色を使用することにより、ジャケットの軸方向に濃い色の糸によって縦縞模様が施される。
【００１４】
また、ホース本体の両端部に保護用のジャケット筒体（袴）を介して装着された接続金具を有するホースにおいては、前記ジャケット筒体を織組するたて糸に濃い色の糸と薄い色の糸を用い、前記濃い色のたて糸によって前記ジャケット筒体の軸方向に縦縞模様を施してもよい。
【発明の効果】
【００１５】
この発明によれば、ジャケットのたて糸に濃い色の糸と薄い色の糸を用い、前記ジャケットの軸方向に縦縞模様を施すことにより、メーカーの識別ができるとともに、夜間等の視界が悪い状況下においても、視認性が向上するという効果がある。
【００１６】
また、ホース本体の両端部に保護用のジャケット筒体（袴）を介して装着された接続金具を有するホースにおいては、前記ジャケット筒体を織組するたて糸に濃い色の糸と薄い色の糸を用い、前記濃い色のたて糸によって前記ジャケット筒体の軸方向に縦縞模様を施すことにより、同様の効果がある。
【発明を実施するための最良の形態】
【００１７】
以下、この発明の実施の形態を図面に基づいて説明する。
【００１８】
図１は消防用ホースの斜視図、図２は図１のＡ部を拡大した正面図、図３は消防ホースを示し、（ａ）は正面図、（ｂ）は側面図、（ｃ）は上面図、（ｄ）は下面図、（ｅ）は左側面図、（ｆ）は右側面図、図４はジャケットの組織図である。
【００１９】
図１及び図２に示すように、消防用ホースのホース本体１は、ジャケット２とこのジャケット２の内周面にライニングされたゴムまたは合成樹脂からなるライニング層３とから構成されている。このホース本体１の一端部には保護用のジャケット筒体（袴）８を介して雌型の接続金具４が装着され、他端部には保護用のジャケット筒体（袴）８を介して雄型の接続金具５が装着されている。
【００２０】
ジャケット２は、例えばポリエステルフィラメント糸を複数本撚り合わせたよこ糸６と、ポリエステルスパン糸を複数本撚り合わせたたて糸７とを織組することにより、円筒状に構成されている。たて糸７は、ジャケット２の円周方向に複数に分割され、その分割線におけるたて糸７を他のたて糸７と異なる濃い色、例えば黒色を使用することにより、ジャケット２の軸方向に縦縞模様が施されている。
【００２１】
また、前記保護用のジャケット筒体８を織組するたて糸も円周方向に複数に分割され、その分割線におけるたて糸を他のたて糸と異なる濃い色、例えば黒色を使用することにより、ジャケット筒体８の軸方向に縦縞模様が施されている。
【００２２】
本実施形態では、ジャケット２の内径が６５．０±０．５ｍｍであり、たて糸７は、２０／８Ｓ、６２０本であり、白糸４５８本、黒色原着糸１６２本を使用している。また、よこ糸６は、１１００ｄｔｅｘ＊７を４１山／１０ｃｍである。
【００２３】
このジャケット２は、たて糸７に濃い色、例えば黒色の原着糸７ａと薄い色、例えば白色の糸７ｂを用い、ジャケット２の軸方向に黒色の原着糸７ａからなる帯状の縦縞模様が施されている。ここで、黒色の原着糸７ａは、顔料を樹脂に練り込んだ糸を使用している。
【００２４】
縦縞模様は、例えば、ジャケット２の円周上を６分割して分割線の部分に黒色の原着糸７ａ（１６２本）を使用している。原着糸７ａ（１６２本）の内訳は、ホース腹部の黒色の原着糸７ａを２６本、ホース耳部の黒色の原着糸７ａを３２本であり、これを組織図に示すと、図４に示すとおりであり、白印は白糸の２本引き揃え、黒印は黒色原着糸の２本引き揃えである。
【００２５】
たて糸７に黒色の原着糸７ａを使用することは、コスト面で有利である。染色糸のコストは、白糸の２倍位となり、２色の染色糸で縞模様のジャケットを織組すると、コストアップの原因となる。そこで、濃い色糸は染色糸より安い原着糸を使用し、薄い色は原着糸より大幅に安いカラー加工とする。
【００２６】
このとき、ジャケット２に縦縞模様を施す方法として、たて糸７に濃い色の原着糸７ａと白色の糸７ｂを用いて円筒状のジャケット２を織組した後、白色の糸７ｂに薄い色の顔料を着色してジャケット２の軸方向に濃い色の縦縞模様を施すようにしてもよい。濃い色の原着糸７ａも一緒にカラー加工されるが、薄い色の加工であるので殆んど変色しない。また、原着は染色の場合のように水を使用しないため、工場排液がなく、環境の面でも優れている。
【００２７】
従って、白糸と濃い色の原着糸とからなるたて糸によって縦縞模様のジャケットを織組した後、白糸部分に顔料入りカラーウレタン樹脂等で後加工することにより、白糸部分を例えば黄色に着色することもできる。
【００２８】
図５は第２の実施形態を示し、（ａ）はジャケット２のみに縦縞模様を施し、ジャケット筒体８には縦縞模様を施さない消防ホースである。（ｂ）はジャケット筒体８のみに縦縞模様を施し、ジャケット２には縦縞模様を施さない消防ホースである。本実施形態のホースの正面図、側面図、上面図及び下面図は第１の実施形態と基本的に同じであるため図面を省略する。
【００２９】
なお、前記実施形態においては、消防署ごとの識別が容易な消防用ホースについて説明したが、吸管として用いる保形ホース、油送管、散水管、高圧ホース等にも適用でき、また染色糸を用いたジャケットに比して大幅にコストダウンを図ることができる。
【図面の簡単な説明】
【００３０】
【図１】この発明の第１の実施形態の消防用ホースの斜視図。
【図２】同実施形態を示し、図１のＡ部を拡大した正面図。
【図３】同実施形態を示し、（ａ）は正面図、（ｂ）は側面図、（ｃ）は上面図、（ｄ）は下面図、（ｅ）は左側面図、（ｆ）は右側面図。
【図４】同実施形態のジャケットの組織図。
【図５】この発明の第２の実施形態を示し、（ａ）（ｂ）は消防用ホースの正面図。
【符号の説明】
【００３１】
１…ホース本体、２…ジャケット、３…ライニング層、４，５…接続金具、６…よこ糸、７…たて糸、７ａ…原着糸、７ｂ…白糸
【図１】
2005048926.tif 000003
【図２】
2005048926.tif 000004
【図３】
2005048926.tif 000005
【図４】
2005048926.tif 000006
【図５】
2005048926.tif 000007